(57)【要約】【課題】収納物を横方向からでも見易く、収納物の出し入れを横方向からでも作業性良く容易に行うことができる昇降式吊戸棚を提供すること。【解決手段】下方が開口した固定式の外キャビネット２と、前面が開口した可動式の内キャビネット３を備え、前記内キャビネット３が前記外キャビネット２に対して昇降自在に構成されるようにした昇降式吊戸棚１において、少なくとも前記内キャビネット３の左右の側板３ａの前端縁における高さ方向中間部分の一部を例えば側面視くの字状に後退させる。【選択図】図１
2010233811.tif 000002
【特許請求の範囲】
【請求項１】
下方が開口した固定式の外キャビネットと、前面が開口した可動式の内キャビネットを備え、前記内キャビネットが前記外キャビネットに対して昇降自在に構成されるようにした昇降式吊戸棚において、
少なくとも前記内キャビネットの左右側板前端縁における高さ方向中間部分の一部を後退させたことを特徴とする昇降式吊戸棚。
【請求項２】
前記内キャビネットの左右の側板の前面部分を側面視くの字状に後退させたことを特徴とする請求項１記載の昇降式吊戸棚。
【発明の詳細な説明】
【技術分野】
【０００１】
本発明は、固定式の外キャビネットに対して可動式の内キャビネットを昇降可能とした昇降式吊戸棚に関するものである。
【背景技術】
【０００２】
キッチンのシンクや調理台、ガス台等の上方には、吊戸棚が天井又は壁面に吊り下げ固定されているが、この固定式の吊戸棚はキッチンに立つユーザーの目線の位置（アイレベル）よりも高い位置に設置されているため、これへの台所用品や食器類等の出し入れが容易でなく、使用頻度の低い物しか収納しないことが多く、利便性に欠けるという問題があった。
【０００３】
そこで、昇降式吊戸棚が提案され、既に実用に供されている（例えば、特許文献１参照）。この昇降式吊戸棚は、下方が開口した固定式の外キャビネットと前面が開口した可動式の内キャビネットを備え、内キャビネットを昇降動可能として不使用時にはこれを外キャビネット内に収納し、食器類等を出し入れする際には電動によって内キャビネットをユーザーのアイレベルまで降ろすようにしたものである。このため、ユーザーはアイレベルまで降りた内キャビネットに対して台所用品や食器類等を作業性良く容易に出し入れすることができ、出し入れ作業が終了すると内キャビネットを上昇させて外キャビネット内に収納することができる。
【先行技術文献】
【特許文献】
【０００４】
【特許文献１】特開２００３−００９９６１号公報
【発明の概要】
【発明が解決しようとする課題】
【０００５】
ところで、昇降式吊戸棚の外キャビネットと内キャビネットは共に箱形に成形されており、内キャビネットは前面が開口し、両側部はその全面が矩形平板上の側板によって完全に閉じられているため、ユーザーは内キャビネットに対する食器類等の出し入れを正面からしか行うことができず、又、内キャビネットに収納されている収納物も正面に立たなければ見づらいという問題があった。このため、内キャビネットに対して食器類等を出し入れする際には調理等の現在行っている作業を一旦中断し、ユーザーが内キャビネットの正面に立って食器類等の出し入れを行う必要があり、作業効率が甚だ悪いという問題があった。
【０００６】
本発明は、上記問題に鑑みてなされたもので、その目的とする処は、収納物を横方向からでも見易く、収納物の出し入れを横方向からでも作業性良く容易に行うことができる昇降式吊戸棚を提供することにある。
【課題を解決するための手段】
【０００７】
上記目的を達成するため、請求項１記載の発明は、下方が開口した固定式の外キャビネットと、前面が開口した可動式の内キャビネットを備え、前記内キャビネットが前記外キャビネットに対して昇降自在に構成されるようにした昇降式吊戸棚において、
少なくとも前記内キャビネットの左右側板前端縁における高さ方向中間部分の一部を後退させたことを特徴とする。
【０００８】
請求項２記載の発明は、請求項１記載の発明において、前記内キャビネットの左右の側板の前面部分を側面視くの字状に後退させたことを特徴とする。
【発明の効果】
【０００９】
本発明によれば、内キャビネットの左右の側板前端縁の高さ方向中間部分の一部を例えば側面視くの字に後退させたため、その後退させた部分を介して収納物を横方向からでも見ることができるとともに、ユーザーが正面に立たなくても内キャビネットに対して収納物の出し入れを横方向からでも作業性良く容易に行うことができる。このため、ユーザーはシンクやガス台等から離れることなく、現在行っている作業を継続しながら収納物の出し入れを行うことができ、調理等の作業効率が高められる。
【図面の簡単な説明】
【００１０】
【図１】本発明に係る昇降式吊戸棚の一部を破断して示す斜視図である。
【図２】本発明に係る昇降式吊戸棚の一部を破断して示す分解斜視図である。
【図３】本発明に係る昇降式吊戸棚の正面図である。
【図４】本発明に係る昇降式吊戸棚の側面図である。
【図５】本発明に係る昇降式吊戸棚の側面図である。
【発明を実施するための形態】
【００１１】
以下に本発明の実施の形態を添付図面に基づいて説明する。
【００１２】
図１は本発明に係る昇降式吊戸棚の一部を破断して示す斜視図、図２は同昇降式吊戸棚の一部を破断して示す分解斜視図、図３は同昇降式吊戸棚の正面図、図４及び図５は同昇降式吊戸棚の側面図である。
【００１３】
本発明に係る昇降式吊戸棚１は、キッチンのシンクや調理台、ガス台等（何れも不図示）の上方に設置されるものであって、天井或いは壁面に固定される矩形箱状の外キャビネット２と、該外キャビネット２に対して昇降動可能な矩形箱状の内キャビネット３を備えている。
【００１４】
上記外キャビネット２は木製であって、その下方は下キャビネット３が通過し得るように開口しており、その左右の側板２ａの内面には、内キャビネット３の昇降動をガイドするためのガイドレール４が垂直に固定されている。尚、図示しないが、外キャビネット２内の上部には内キャビネット３を電動によって自動で昇降動させるための昇降機構が設けられており、この昇降機構は、駆動源である電動モータ、該電動モータの回転をプーリに伝達するギヤ、プーリに巻き掛けられた左右一対のベルト等によって構成されている。そして、左右のベルトの端部には内キャビネット３が吊り下げられている。尚、本実施の形態では、外キャビネット２を木製としたが、外キャビネット２の材質には他の任意にものを選定し得る。
【００１５】
又、外キャビネット２の前面下端には全幅に亘って操作台５が手前側に向かって突設されており、この操作台５の前面の一端（右端）には、電源のＯＮ／ＯＦＦボタン、昇降ボタン等が配設された操作部６が設けられている。
【００１６】
他方、内キャビネット３は樹脂製であって、その前面が開口しており、その左右の側板３ａの前端縁の高さ方向中間部分の一部（後述の後退部）７は側面視状に後退している。ここで、側面視くの字状の後退部７は、そのくの字の谷７ａが各側板３ａの高さ方向略中央に位置するよう形成されており、左右の側板３ａの高さ方向略中央間には棚板８が水平に架設されている。即ち、棚板８は、左右の側板３ａの後退部７の谷７ａの部分、つまり側板３ａの奥行き幅が最小の部位の近くに配設されているため、奥行き幅は従来のもののそれよりは狭くなっている。因に、従来の棚板は側板の幅寸法と同等の大きな奥行き幅を有している。尚、左右の側板３ａには剛性を高めるためのビード９が形成されている。又、本実施の形態では、内キャビネット３を樹脂製としたが、内キャビネット３の材質には他の任意のものを選定し得る。
【００１７】
ところで、図３〜図５に示すように、棚板８の手前側の端縁には２つのフック１０が左右方向に沿ってスライド可能に支持されており、これらのフック１０は例えば図５に示すようにロール状のキッチンペーパー１１を回転可能に支持する等の用途に供される。
【００１８】
又、図１及び図２に示すように、内キャビネット３の底板３ｂ上には水受けトレイ１２が配設され、その上には針金によって格子状に形成された水切り１３が載置されている。ここで、水受けトレイ１２と水切り１３の奥行き幅は棚板８のそれよりも広く設定されている。
【００１９】
而して、内キャビネット３内の棚板８や水切り１３上には食器類等の不図示の収納物が載置されて収納されるが、内キャビネット３の上部左右には不図示のスライダがそれぞれ取り付けられており、これらのスライダが外キャビネット２の左右の側板２ａの内面に固定された前記ガイドレール４に係合することによって、内キャビネット３は外キャビネット２側に設けられた左右一対のガイドレール４に沿って昇降動可能に支持されている。
【００２０】
ところで、内キャビネット３に対して食器類等を出し入れしない場合、つまり内キャビネットの不使用時には、該内キャビネット３は図３及び図４に鎖線にて示すように外キャビネット２内に収容されている。このように不使用時には内キャビネット３が外キャビネット２内に収納されて外部に露出しないため、内キャビネット３によって外観が阻害されたり、内キャビネット３が作業の邪魔になるという不具合が発生することがない。
【００２１】
そして、内キャビネット３に対して食器類等を出し入れする際には、外キャビネット２の前面下端に突設された操作台５の操作部６を操作して不図示の昇降機構を駆動し、不図示のベルトを送り出すと内キャビネット３は外キャビット２側に設けられたガイドレール４に沿って下降する。すると、内キャビネット３は図示のように外キャビネット２から下方へ完全に引き出され、これがユーザーのアイレベルまで降りた時点で昇降機構の駆動が停止され、内キャビネット３は図示位置に停止してその前面が開口される。
【００２２】
上述のように内キャビネット３がユーザーのアイレベルまで降りてその前面が開口すると、ユーザーは内キャビネット３に対して食器類等の収納物を出し入れすることができるが、本実施の形態では、内キャビネット３の左右の側板３ａの前端縁の高さ方向中間部の一部（本実施の形態では高さ方向中央部）を側面視くの字状に後退させたため、その後退部７を介して収納物を横方向からでも見ることができるとともに、ユーザーが正面に立たなくても内キャビネット３に対して収納物の出し入れを横方向からでも作業性良く容易に行うことができる。このため、ユーザーはシンクやガス台等から離れることなく、現在行っている作業を継続しながら収納物の出し入れを行うことができ、調理等の作業効率が高められる。
【００２３】
又、本実施の形態では、棚板８が架設された高さ位置は内キャビネット３の左右の側板３ａの高さ方向中央部に形成された側面視くの字状の後退部のくの字の谷７ａ部分であり、その部分の奥行き寸法は小さいために棚板８の奥行き幅は狭くなり、この棚板８に収納物を奥行き方向に重ねて配置することがない。このため、棚板８に収納されている収納物を例えば背の低いユーザーが取り出す場合であっても、ユーザーは背伸びをして奥に手を突っ込むという作業を要することなく、下方からでも収納物を作業性良く容易に取り出すことができる。
【００２４】
そして、内キャビネット３に対する収納物の出し入れが終了すると、操作部６を操作して不図示の昇降機構を駆動すれば、不図示のベルトが巻き取られて内キャビネット３が外キャビネット２側に設けられたガイドレール４に沿って上昇し、図３及び図４に鎖線にて示すように内キャビネット３が外キャビネット２内に収容される。
【００２５】
尚、以上の実施の形態では、内キャビネット３の左右の側板３ａに側面視くの字状の後退部７を形成したが、後退部７の形状は任意であって、他の形状を採用し得ることは勿論である。又、以上の実施の形態では、内キャビネット３の左右の側板３ａの高さ方向中央部の１箇所に後退部７ａを形成したが、後退部７ａは必ずしも高さ方向中央部に設ける必要はなく、高さ方向中間部のどの位置に形成しても良く、その数も任意である。
【符号の説明】
【００２６】
１      昇降式吊戸棚
２      外キャビネット
２ａ    外キャビネットの側板
３      内キャビネット
３ａ    内キャビネットの側板
３ｂ    内キャビネットの底板
４      ガイドレール
５      操作台
６      操作部
７      後退部
７ａ    後退部の谷
８      棚板
９      ビード
１０    フック
１１    キッチンペーパー
１２    水受けトレイ
１３    水切り
【図１】
2010233811.tif 000003
【図２】
2010233811.tif 000004
【図３】
2010233811.tif 000005
【図４】
2010233811.tif 000006
【図５】
2010233811.tif 000007